(57)【要約】【課題】例えば各データ毎に非常事態時における処置を設定可能とする電子機器を提供する。【解決手段】保全処理設定部１０１は、非常事態発生時における重要データの保全処理をデータ毎および非常事態の種類毎に設定し、その設定内容を保全処理設定テーブル１０４に格納する。また、非常事態検知部１０２は、ＬＡＮからの信号とインターネットＢからの信号を監視し、何らかの信号の受信により非常事態の発生を検知したら、その旨を保全処理実行部１０３に通知する。そして、保全処理実行部１０３は、この通知を受けると、保全処理設定テーブル１０４に基づき、重要データの保全処理をデータ毎および非常事態の種類毎に実行する。【選択図】      図３
2004213214.tif 000002
【特許請求の範囲】
【請求項１】
データを記憶する記憶装置と、
前記記憶装置に記憶されたデータについて所定の状況発生時における処置を各データ毎に設定する設定手段と、
前記所定の状況の発生を検知する検知手段と、
前記検知手段により前記所定の状況の発生が検知された場合、前記設定手段により設定された処置を各データ毎に施すデータ処理手段と
を具備することを特徴とする電子機器。
【請求項２】
データを記憶する記憶装置と、
前記記憶装置に記憶されたデータについて所定の状況発生時における処置を前記所定の状況の種類毎に設定する設定手段と、
前記所定の状況の発生を検知する検知手段と、
前記検知手段により前記所定の状況の発生が検知された場合、前記設定手段により設定された処置をその所定の状況の種類毎に施すデータ処理手段と
を具備することを特徴とする電子機器。
【請求項３】
前記設定手段は、前記所定の状況発生時における処置の優先順位を各データ毎に設定することを特徴とする請求項１記載の電子機器。
【請求項４】
前記設定手段は、前記所定の状況発生時における処置として、データの削除を設定することを特徴とする請求項１記載の電子機器。
【請求項５】
前記設定手段は、前記所定の状況発生時における処置として、ネットワークを介して接続される他の電子機器へのデータの送信を設定することを特徴とする請求項１記載の電子機器。
【請求項６】
前記設定手段は、前記所定の状況発生時における処置として、ネットワークを介して接続される他の電子機器へのデータの送信およびその送信完了後のデータの削除を設定することを特徴とする請求項１記載の電子機器。
【請求項７】
前記検知手段は、災害検知用のセンサから送信される信号に基づき、前記所定の状況の発生を検知することを特徴とする請求項１記載の電子機器。
【請求項８】
前記検知手段は、不審者の侵入検知用のセキュリティ装置から送信される信号に基づき、前記所定の状況の発生を検知することを特徴とする請求項１記載の電子機器。
【請求項９】
前記検知手段は、構内ネットワークを介して接続される家庭電子機器から送信される信号に基づき、前記所定の状況の発生を検知することを特徴とする請求項１記載の電子機器。
【請求項１０】
前記検知手段は、インターネットを介して接続されるサーバコンピュータから送信される警報通知に基づき、前記所定の状況の発生を検知することを特徴とする請求項１記載の電子機器。
【請求項１１】
記憶装置に記憶されたデータについて所定の状況発生時における処置を各データ毎に設定する設定ステップと、
前記所定の状況の発生を検知する検知ステップと、
前記検知ステップにより前記所定の状況の発生が検知された場合、前記設定ステップにより設定された処置を各データ毎に施すデータ処理ステップと
を具備することを特徴とするデータ処理方法。
【請求項１２】
記憶装置に記憶されたデータについて所定の状況発生時における処置を前記所定の状況の種類毎に設定する設定ステップと、
前記所定の状況の発生を検知する検知ステップと、
前記検知ステップにより前記所定の状況の発生が検知された場合、前記設定ステップにより設定された処置をその所定の状況の種類毎に施すデータ処理ステップと
を具備することを特徴とするデータ処理方法。
【発明の詳細な説明】
【０００１】
【発明の属する技術分野】
この発明は、例えば災害によるデータの消失や不審者によるデータの盗難などを防止するためのデータ保全技術に関する。
【０００２】
【従来の技術】
近年、インターネットを利用した電子商取引が普及し始めている。この電子商取引では、例えば事業者と顧客との間のやり取り、つまり受発注データなどの送受信を公衆網を介して行うため、その安全性を確保すべく様々な認証技術や暗号化技術が採用されている。
【０００３】
この認証技術や暗号化技術の利用にあたっては、ＩＤ番号やパスワード、公開鍵などといったものを各顧客が保有するのが一般的である。したがって、インターネット上を伝送中のデータの保全のみでなく、各顧客が電子機器内の例えば磁気ディスク（ＨＤＤ）に格納したデータの保全も重要である。
【０００４】
例えば特許文献１には、パスワードの入力ミスが規定回数を越えて繰り返されると、内部データを情報センタに退避し、かつ、その退避後に消去する無線携帯端末不正使用防止システムが記載されている。この無線携帯端末不正使用防止システムによれば、無線携帯端末の紛失時や盗難時に、その端末内に格納されたデータを第３者に不正使用されることもなく、また、当該データの紛失も防止することができる。
【０００５】
【特許文献１】
特開平８−３１４８０５号公報
【０００６】
【発明が解決しようとする課題】
ここで、例えばホームサーバなどと称される、室内に設置される電子機器に格納されたデータの保全について考える。この種の設置型の電子機器では、大容量の記憶媒体を搭載しており、様々なデータが大量に格納される。これら大量のデータを非常事態に応じて様々な処置をすることができれば、より柔軟な運用が可能となる。しかしながら、前述の特許文献１に記載のシステムでは、このような設定を行うことができなかった。
【０００７】
この発明は、このような事情を考慮してなされたものであり、所定の状況発生時における処置を適宜設定可能とする電子機器およびデータ処理方法を提供することを目的とする。
【０００８】
【課題を解決するための手段】
前述した目的を達成するために、この発明は、データを記憶する記憶装置と、前記記憶装置に記憶されたデータについて所定の状況発生時における処置を各データ毎に設定する設定手段と、前記所定の状況の発生を検知する検知手段と、前記検知手段により前記所定の状況の発生が検知された場合、前記設定手段により設定された処置を各データ毎に施すデータ処理手段とを具備することを特徴とする電子機器を提供する。
【０００９】
また、この発明は、データを記憶する記憶装置と、前記記憶装置に記憶されたデータについて所定の状況発生時における処置を前記所定の状況の種類毎に設定する設定手段と、前記所定の状況の発生を検知する検知手段と、前記検知手段により前記所定の状況の発生が検知された場合、前記設定手段により設定された処置をその所定の状況の種類毎に施すデータ処理手段とを具備することを特徴とする電子機器を提供する。
【００１０】
また、この発明は、記憶装置に記憶されたデータについて所定の状況発生時における処置を各データ毎に設定する設定ステップと、前記所定の状況の発生を検知する検知ステップと、前記検知ステップにより前記所定の状況の発生が検知された場合、前記設定ステップにより設定された処置を各データ毎に施すデータ処理ステップとを具備することを特徴とするデータ処理方法を提供する。
【００１１】
また、この発明は、記憶装置に記憶されたデータについて所定の状況発生時における処置を前記所定の状況の種類毎に設定する設定ステップと、前記所定の状況の発生を検知する検知ステップと、前記検知ステップにより前記所定の状況の発生が検知された場合、前記設定ステップにより設定された処置をその所定の状況の種類毎に施すデータ処理ステップとを具備することを特徴とするデータ処理方法を提供する。
【００１２】
この発明の電子機器およびデータ処理方法においては、各データ毎に所定の状況発生時の処置を設定し、または、所定の状況の種類毎にその処置を設定することが可能となる。
【００１３】
【発明の実施の形態】
以下、図面を参照してこの発明の実施形態を説明する。
【００１４】
図１は、この発明の実施形態に係る電子機器（ホームサーバ１）の利用形態を示す図である。
【００１５】
このホームサーバ１は、家屋１００内の例えばリビングルームなどに設置される電子機器であり、その家屋１００内に敷設されるＬＡＮ（Ａ）に接続されるとともに、インターネットＢにも接続されている。ＬＡＮ（Ａ）には、例えば室内温度を監視して火災を発見する等の災害検知用の各種センサ２や、放射した赤外線の遮断有無を監視して泥棒を発見する等の不審者の侵入検知用のセキュリティ装置３が接続されており、ホームサーバ１は、この各種センサ２およびセキュリティ装置３からの信号をＬＡＮ（Ａ）経由で受信して、災害や不審者の侵入を検知する。
【００１６】
また、このＬＡＮ（Ａ）には、通信機能を有する例えば録画再生装置や空気調節装置などのネットワーク家電機器４が接続されており、ホームサーバ１は、インターネットＢ経由で受信した操作指示に基づき、このネットワーク家電機器４をＬＡＮ（Ａ）経由で駆動制御する。つまり、利用者は、例えばＰＤＡ端末などを使って、このネットワーク家電機器４を外出先などから遠隔操作することができるようになっている。そして、ホームサーバ１は、例えば一定時間内に２つ以上のネットワーク家電機器４から異常発生を示す信号を受け取った場合に、何らかの非常事態が発生したものと判断する。
【００１７】
さらに、ホームサーバ１は、いわゆるブラウザ機能を有し、利用者は、インターネットＢ経由でＷｅｂサーバに接続し、公開情報を参照したり、電子商取引を行うことが可能である。この電子商取引を行う場合、利用者は、相手側に自分を認証させるためのＩＤ番号や、相手側から送信される暗号化データを復号するための公開鍵などを使用する。そして、このＩＤ番号や公開鍵は、ホームサーバ１に搭載された記憶装置（ＨＤＤ１３）に格納される。
【００１８】
このＩＤ番号や公開鍵のような重要データＸは、災害による消失や不審者による盗難などから守る必要がある。そこで、このホームサーバ１は、災害や不審者侵入などの非常事態発生時に、予め定められた処置を各データ毎および非常事態の種類毎に施すようにした。
【００１９】
より具体的には、例えばデータＡはデータの退避および削除を行うが、データＢはデータの削除のみ、データＣはデータの退避のみといった設定を行えるようにして、より柔軟な運用を可能とする。また、例えば不審者の侵入を検知した場合には、通信によるデータの退避および削除を行うが、火災などの災害発生時には、データの退避のみで削除は行わないなど、非常事態の種類毎にその処置を設定可能とする。さらに、例えば火災発生時には、重要度の高いデータを重要度の低いデータに優先してその処置に着手する必要があるため、その順序を設定可能とする。
【００２０】
なお、図１中のファイルサーバ２００は、この重要データＸの退避先として予め指定されたＷｅｂサーバであり、また、警報発信サーバ２０１は、例えば台風の接近を通知する等、種々の警報を配信するＷｅｂサーバである。つまり、ホームサーバ１は、ＬＡＮ（Ａ）経由で信号を受信して非常事態を検知する場合（図１の（１））と、インターネットＢ経由で信号を受信して非常事態を検知する場合（図１の（２））の２通りの検知手法を有している。
【００２１】
図２は、このホームサーバ１の機器構成を示す図である。
【００２２】
図２に示すように、このホームサーバ１は、ＣＰＵ１１、ＲＡＭ１２、ＨＤＤ１３、表示コントローラ１４、キーボードコントローラ１５、（ＬＡＮ用）通信コントローラ１６および（インターネット用）通信コントローラ１７がシステムバスに接続されている。
【００２３】
ＣＰＵ１１は、このホームサーバ１全体の制御を司り、ＲＡＭ１２に格納された各種プログラムを実行する。ＲＡＭ１２は、このホームサーバ１の主記憶となるメモリデバイスであり、ＣＰＵ１１によって実行される各種プログラムやそのプログラムで利用される各種データを格納する。一方、ＨＤＤ１３は、このホームサーバ１の外部記憶となるメモリデバイスであり、ＲＡＭ１２の補助装置として各種プログラムおよび各種データを大量に格納する。前述のＩＤ番号や公開鍵などの重要データＸは、このＨＤＤ１３に格納されている。
【００２４】
表示コントローラ１４は、このホームサーバ１におけるユーザインタフェースのアウトプットを担うデバイスであり、ＣＰＵ１１が作成した画面データを例えば外部接続されるモニタ装置などに表示制御する。一方、キーボードコントローラ１５は、このホームサーバ１におけるユーザインタフェースのインプットを担うデバイスであり、ホームサーバ１の筐体の正面側壁などに配置される操作パネル１５１の操作内容をＣＰＵ１１に伝達する。
【００２５】
また、（ＬＡＮ用）通信コントローラ１６および（インターネット用）通信コントローラ１７は、双方とも、ネットワークを介した通信を制御し、通信コントローラ１６はＬＡＮ（Ａ）を介した通信、通信コントローラ１７はインターネットＢを介した通信をそれぞれ制御する。
【００２６】
図３は、このホームサーバ１の非常事態発生時におけるデータ保全に関する機能ブロックを示す図である。
【００２７】
非常事態発生時におけるデータ保全のために、このホームサーバ１は、図３に示すように、保全処理設定部１０１、非常事態検知部１０２および保全処理実行部１０３の各処理部と、保全処理設定テーブル１０４のデータ部とを備える。なお、各処理部は、ＲＡＭ１２に格納されてＣＰＵ１１によって実行されるユーティリティプログラムによって実現され、一方、データ部は、ＨＤＤ１３上に構築されてＲＡＭ１２経由でアクセスされるものである。
【００２８】
保全処理設定部１０１は、非常事態が発生した場合に、重要データＸをどのように取り扱うか、その対処方法をデータ毎および非常事態の種類毎に設定し、その設定内容を保全処理設定テーブル１０４に格納する。いま、非常事態発生時に保全すべき重要データＸとして、図４に示すような種類のファイルが存在するものと想定する。
【００２９】
・ファイルＡ：銀行の暗証番号を保持
・ファイルＢ：インターネット上の各サイト毎のパスワードやＩＤ番号を保持
・ファイルＣ：暗号化された音楽データ等を復号するための公開鍵
そして、保全処理設定部１０１は、各ファイルの処理内容を、図５に示すように、盗難の場合と災害の場合とに分け、優先順位とともに設定する。ここで、盗難とは、セキュリティ装置３からの信号により不審者の侵入を検知した場合をいい、一方、災害とは、各種センサ２やネットワーク家電機器４からの信号、あるいは警告発信サーバ２０１からの通知により災害発生を検知した場合をいう。この不審者の侵入と災害の発生は、非常事態検知部１０２が、ＬＡＮ（Ａ）からの信号とインターネットＢからの信号を監視することによって検知する。
【００３０】
この図５の例では、盗難が検知された場合、ファイルＡ、ファイルＣ、ファイルＢの順序で保全処理が着手される。また、その処理も、各ファイル毎に設定され、ファイルＡは消去のみ、ファイルＣはファイルサーバ２００への退避および消去、ファイルＢもファイルサーバ２００への退避および消去を実行する。
【００３１】
一方、災害が検知された場合は、ファイルＣ、ファイルＢ、ファイルＡの順序で保全処理が着手される。そして、その処理は、各ファイルとも、ファイルサーバ２００への退避のみを実行し、消去は行わない。なお、この保全処理テーブル１０４で設定された処理は、非常事態検知部１０２からの通知を受けた保全処理実行部１０３が実行する。
【００３２】
また、保全処理設定部１０１は、各ファイルの退避先であるファイルサーバ２００のアドレスを設定する機能も備える。
【００３３】
図６は、このホームサーバ１の非常事態発生時におけるデータ保全に関する動作手順を示すフローチャートである。
【００３４】
まず、保全処理設定部１０１が、非常事態発生時における重要データＸの保全処理をデータ毎および非常事態の種類毎に設定し、その設定内容を保全処理設定テーブル１０４に格納する（ステップＡ１）。
【００３５】
また、非常事態検知部１０２は、ＬＡＮ（Ａ）およびインターネットＢからの信号を監視し（ステップＡ２）、ＬＡＮ（Ａ）またはインターネットＢから何らかの信号を受信すると（ステップＡ３のＹＥＳ）、その受信した信号から非常事態の種類を判別し、その判別結果、つまり盗難検知または災害検知を保全処理実行部１０３に通知する（ステップＡ４）。
【００３６】
一方、この通知を受け取った保全処理実行部１０３は、保全処理設定テーブル１０４を参照し（ステップＡ５）、保全処理設定テーブル１０４に基づき、優先順位の高いデータから設定された保全処理を順次実行する（ステップＡ６）。
【００３７】
このように、このホームサーバ１によれば、災害や不審者侵入などの非常事態発生時に、予め定められた処置を各データ毎および非常事態の種類毎に施すことを可能とする。
【００３８】
なお、前述の実施形態では、重要データＸの保全処理を各データ毎および非常事態の種類毎に設定する例を説明したが、例えば各データ毎または非常事態の種類毎のいずれか一方を設定するのみでも有効な効果を得ることができる。
【００３９】
また、重要データＸの退避先のファイルサーバ２００を各データ毎に設定するようにしても良い。
【００４０】
つまり、本願発明は、前記実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。たとえば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００４１】
【発明の効果】
以上のように、本発明によれば、所定の状況発生時における処置を適宜設定可能とする電子機器およびデータ処理方法を提供することができる。
【図面の簡単な説明】
【図１】この発明の実施形態に係る電子機器（ホームサーバ）の利用形態を示す図。
【図２】同実施形態の電子機器（ホームサーバ）の機器構成を示す図。
【図３】同実施形態の電子機器（ホームサーバ）の非常事態発生時におけるデータ保全に関する機能ブロックを示す図。
【図４】同実施形態の電子機器（ホームサーバ）でデータ保全の対象とする重要データを例示する図。
【図５】同実施形態の電子機器（ホームサーバ）が具備する保全処理設定テーブルを例示する図。
【図６】同実施形態の電子機器（ホームサーバ）の非常事態発生時におけるデータ保全に関する動作手順を示すフローチャート。
【符号の説明】
１…ホームサーバ、２…各種センサ、３…セキュリティ装置、４…ネットワーク家電機器、１１…ＣＰＵ、１２…ＲＡＭ、１３…ＨＤＤ、１４…表示コントローラ、１５…キーボードコントローラ、１６…（ＬＡＮ用）通信コントローラ、１７…（インターネット用）通信コントローラ、１００…家屋、１０１…保全処理設定部、１０２…非常事態検知部、１０３…保全処理実行部、１０４…保全処理設定テーブル、１５１…操作パネル、２００…ファイルサーバ、２０１…警報発信サーバ、Ａ…ＬＡＮ、Ｂ…インターネット。
【図１】
2004213214.tif 000003
【図２】
2004213214.tif 000004
【図３】
2004213214.tif 000005
【図４】
2004213214.tif 000006
【図５】
2004213214.tif 000007
【図６】
2004213214.tif 000008